(57)【要約】【課題】眼鏡のずり落ちを防止すること。【解決手段】本発明は眼鏡のパッドを上下に移動させ各個人の鼻のずり落ちしない最もフィットする位置で止め設定することができる構造を具備している眼鏡のずり落ち防止用パッドである１パッドに４箱が設けられ４箱に２シャフトの曲がった方の端を付け２シャフトのもう片方の端から３軸受の中に入れる３軸受に６足を設け６足を７リムにろう付け溶接する４箱ともう片方の４箱に１４パッドブリッジの両端がろう付け溶接されている２シャフトが３軸受の中を上下に移動し各個人の鼻のずり落ちしない最もフィットする位置で止め１５ネジをしめ固定し設定することができる眼鏡用パッドである。【選択図】　　図３
2004094086.tif 000002
【特許請求の範囲】
【請求項１】
眼鏡用パッドに箱が設けられ箱にシャフトの曲がった方の端を付けシャフトのもう片方の端から軸受の中に入れて軸受に足の端を付け足のもう片方の端をリムにろう付け溶接する構造は左右対称の構造を具備している、箱ともう片方の箱にパッドブリッジの両端がろう付け溶接されている、シャフトが軸受の中を上下に移動し各個人の鼻のずり落ちしない最もフィットする位置で止めネジをしめ固定し設定することができる眼鏡のずり落ち防止用パッド。
【発明の詳細な説明】
【０００１】
【発明の属する技術的分野】本発明は眼鏡のずり落ち防止用パッドに関する。
【０００２】
【従来の技術】
従来の眼鏡をかけていると、何時の間にか眼鏡がずり落ちピントが合わなくなっていることがある、眼鏡の各調節箇所を
調節しても、各個人の鼻にパッドが合いにくく、スポーツや手作業，読書や色んなものの操縦中に眼鏡が、ずり落ち、不
快感があり又ずり落ちが原因で危険を伴うこともある。
【０００３】
【発明を解決しょうとする課題】
眼鏡がずり落ちしない様に眼鏡の調整できる各箇所を強く調整し眼鏡がずり落ちしない様にすることも出来ますが、不快感を与えてしまい問題が解決したとは言えないのである、本発明の目的はこうした使用者の要望に応え、ずり落ちせず、不快感がなく爽快にめがねを使用していただける、眼鏡用移動パッドを提供することにある。
【０００４】
【問題を解決するための手段】前記の目的を達成するため本発明は眼鏡用パッドを移動することができる眼鏡用パッドを提供することにある本発明は眼鏡のパッドを上下に移動させ各個人の鼻のずり落ちしない最もフィットする位置でパットを止め設定することができる眼鏡用パッドである１パッドに４箱が設けられ４箱に２シャフトの曲がった方の端を付けもう片方の端から２シャフトを３軸受の中に入れて３軸受に６足の端を付け６足のもう片方の端を７リムにろう付け溶接する構造は左右対称の構造を具備している４箱ともう片方の４箱に１４パッドブリッジの両端がろう付け溶接されている２シャフトが３軸受の中を上下に移動し各個人の鼻のずり落ちしない最もフィットする位置で止め１５ネジをしめ固定し設定することができる眼鏡用パッドである。
【０００５】
【発明の実施の状態】以下、本発明の実施の形態を図面に基づき説明する。図１は本発明眼鏡用パッドを移動することができる眼鏡用パッドの右眼鏡側面図である、図２は１パッドを最下位置に設定したときの斜視図である、図３はパッド取り付け部分の拡大図である、図４は図３の右眼鏡のパッド取り付け部分の拡大斜視図である，図５は１パッドを最下位置に設定した正面図である、図６は１パッドを最上位置にしたときの正面図である、図７は本発明の眼鏡用１パッドが最上位置に設定した側面図である、図７は右眼鏡側の側面図であるが、図６のように左右対称の構造を具備している。
【０００６】従来の一般的な眼鏡のパッドは箱に足の端を付け足のもう片方をリムにろう付け溶接した構造になっているものが一般的である本発明の図３は図で示すように左右対称の構造を具備し１パッドに４箱が設けられ４箱に２シャフトの曲がった方の端を付け２シャフトのもう片方の端から３軸受の中に入れる３軸受に６足の片方の端を付けするもう片方の端は図４で示すように７リムにろう付け溶接付した構造になっているシャフトが軸受の中を上下に移動し各個人の鼻のずり落ちしない最もフィットする位置で止めネジをしめ固定し設定することができる眼鏡のずり落ち防止用パッド。
【０００７】１４パッドブリッジの両方の端を各４箱に付け各個人の鼻のずり落ちしない、最もフィットする位置で１パッドが使用できるように１４パッドブリッジを曲げる等して微調整できる部分である２シャフトと６足は曲げる等して微調整できる部分である。
【０００８】前記の図１は眼鏡用パッドの右眼鏡側面図で１パッドが最下位置に設定した図である、１６ブレースバーは図５のように左右の端をリムにろう付け溶接した構造になっている、１３ブッリジも左右の端をリムにろう付け溶接した構造になっている、１パッドは最上位置から１パッド最下位置までの間の自由な位置に移動させて止め１５ネジで止め固定し設定できる、構造を具備している。
【０００９】前記の図４は図３の右眼鏡パッド取り付け部分の拡大斜視図であるが、図３で示すように図４は左右対称の構造を具備するものである、図４の８は上下シャフトが移動する方向を示している、１４のパッドブリッジは左右の端は各４箱に付いている、パッドブリッジを曲げる等して１パッドが鼻にフィットするように微調整することができる部分である。
【００１０】前記図４の６足は３軸受に付けもう片方はリムにろう付け溶接した構造になっている、１０ネジはパッドを
止めるネジである、１５ネジは２シャフトが３軸受の中を上下に移動し各個人の鼻のずり落ちしない、最もフィットする位
置で止め固定するためのものである、７リムは眼鏡の左右に形成され眼鏡のレンズを挿入できる構造を具備している。
【００１１】
【発明の効果】以上の説明のように本発明は眼鏡のパッドを上下に移動させ、各個人の鼻のずり落ちしない、最もフィットする位置で止め設定することができる、眼鏡用パッドである、したがって何時の間にか眼鏡がずり落ちピントが合わなくなっているとか、スポーツや手作業，読書、や色んなものの操縦中に眼鏡が、ずり落ち、不快感を与える、又ずり落ちが原因で危険を伴う等が本発明で解消され眼鏡をかける人々に爽快感を与えると共に眼鏡業界の発展に貢献できる商品になると思います斬新さと実用性と利便性が良くなり眼鏡の商品価値の向上に役立つ。
【図面の簡単な説明】
【図１】は本発明の図１は眼鏡用パッドが最下位置に設定した右眼鏡側面図である。
【図２】は本発明の眼鏡用１パッドが最下位置に設定した斜視図である。
【図３】は本発明の眼鏡用パッド部分の拡大図である。
【図４】は本発明の図４は図３右眼鏡側の拡大図である。
【図５】は本発明の眼鏡用１パッドを最下位置に設定した正面図である。
【図６】は本発明の眼鏡用１パッドが最上位置に設定した正面図である。
【図７】は本発明の図７は眼鏡用パッドが最上位置に設定した右眼鏡側面図である。
【符号の説明】
１…パッド、２…シャフト、３…軸受、４…箱、６…足、７…リム、８…シャフトの移動方向を示す、
９…智、１０…ネジ、１１…テンプル、１２…モダン１３…ブリッジ１４…パッドブリッジ、１５…ネジ１６…ブレースバー、
【図１】
2004094086.tif 000003
【図２】
2004094086.tif 000004
【図３】
2004094086.tif 000005
【図４】
2004094086.tif 000006
【図５】
2004094086.tif 000007
【図６】
2004094086.tif 000008
【図７】
2004094086.tif 000009